【事件の表示】
　特願２０１５−２４９７７７「通信制御装置、認証装置、中央制御装置及び通信システム」拒絶査定不服審判事件〔平成２８年　７月１１日出願公開、特開２０１６−１２７５９８〕について、次のとおり審決する。
【結　論】
　本件審判の請求は、成り立たない。
【理　由】
第１　手続の経緯
　本願は、平成２７年１２月２２日（パリ条約による優先権主張　２０１４年１２月３０日　中国）の出願であって、その手続の経緯は以下のとおりである。
平成２８年１０月１３日付け　拒絶理由通知書
平成２９年　１月１８日　　　意見書、手続補正書の提出
平成２９年　２月　１日付け　拒絶査定
平成２９年　５月３１日　　　拒絶査定不服審判の請求、手続補正書の提出
第２　平成２９年５月３１日にされた手続補正についての補正の却下の決定
[補正の却下の決定の結論]
　平成２９年５月３１日にされた手続補正（以下、「本件補正」という。）を却下する。
[理由]
１　本件補正について
（１）本件補正後の特許請求の範囲の記載
　本件補正により、特許請求の範囲の請求項３、及び、請求項６の記載は、次のとおり補正された。（下線部は、補正箇所である。）
「【請求項３】
　移動端末に設けられ、移動ユーザのID認証を行うことにより前記移動端末がネットワークにおいて通信を行うための認証装置であって、
　前記移動端末に設置された通信制御装置と通信を行って、前記通信制御装置が取得したサーバによって出されたセッション鍵及び前記セッション鍵によって暗号化された属性設定情報を受信する第３の取得手段と、
　前記属性設定情報を取得するため、復号化アルゴリズム及び前記セッション鍵に基づいて、前記セッション鍵によって暗号化された前記属性設定情報を復号化するための復号化手段と、
　前記属性設定情報に基づいて前記認証装置のキャリア属性を設定するための設定手段と、を備え、
　前記属性設定情報は、少なくとも国際移動体加入者識別番号（International Mobile Subscriber Identification Number，IMSI）及び鍵識別子（Key identifier，Ki）を有し、
　前記通信制御装置は、インターネットに接続することで、前記サーバとデータインタラクションを行い、
　前記設定手段が前記キャリア属性の設定に成功した後に通知情報を送信するための通知手段を更に備え
、
　前記認証装置により設定された前記キャリア属性が2つ以上である場合、前記認証装置は、前記キャリア属性に対する前記通信制御装置の選択結果に基いて、前記移動端末に関して選択された前記キャリア属性に対応したネットワークに切替えて通信を行わせ、
　前記認証装置は、トランスポートプロトコルデータユニット（Transport Protocol Data Unit，TPDU）のプロトコルに合致するデータパスを介して前記通信制御装置と通信する、
ことを特徴とする認証装置。
【請求項６】
　サーバに設けられる中央制御装置であって、
　移動端末に設けられた通信制御装置と通信を行うことによって、移動端末に設けられ移動ユーザのID認証を行うための認証装置の識別情報を受信するための第１の受信手段と、
　前記識別情報及び暗号化情報に基づいて、前記認証装置に対してID認証を行うとともに、認証に成功した場合にセッション鍵を確立するための第２の認証手段と、
　前記通信制御装置が前記セッション鍵及び前記セッション鍵によって暗号化された属性設定情報を前記認証装置に送信して前記認証装置が復号化により前記属性設定情報を取得して前記属性設定情報に基づいて前記認証装置のキャリア属性を設定するように、前記セッション鍵及び前記セッション鍵によって暗号化された前記属性設定情報を前記移動端末に設けられた前記通信制御装置に送信するための第２の送信手段と、
を備え、
　前記属性設定情報は、少なくとも国際移動体加入者識別番号（International Mobile Subscriber Identification Number，IMSI）及び鍵識別子（Key identifier，Ki）を有し、
　前記通信制御装置は、インターネットに接続することで、前記サーバとデータインタラクションを行い、
　前記属性設定情報を管理するための管理手段を更に備え
、
　
前記認証装置により設定された前記キャリア属性が2つ以上である場合、前記認証装置は、前記キャリア属性に対する前記通信制御装置の選択結果に基いて、前記移動端末に関して選択された前記キャリア属性に対応したネットワークに切替えて通信を行わせ、
　前記認証装置は、さらに、前記通信制御装置による制御に基いて、前記キャリア属性を削除し、
　前記認証装置は、トランスポートプロトコルデータユニット（Transport Protocol Data Unit，TPDU）のプロトコルに合致するデータパスを介して前記通信制御装置と通信する、
ことを特徴とする中央制御装置。」
（２）本件補正前の特許請求の範囲の記載
　本件補正前の、平成２９年１月１８日にされた手続補正により補正された特許請求の範囲の請求項４、及び、請求項７の記載は次のとおりである。
「【請求項４】
　移動端末に設けられ、移動ユーザのID認証を行うことにより前記移動端末がネットワークにおいて通信を行うための認証装置であって、
　前記移動端末に設置された通信制御装置と通信を行って、前記通信制御装置が取得したサーバによって出されたセッション鍵及び前記セッション鍵によって暗号化された属性設定情報を受信する第３の取得手段と、
　前記属性設定情報を取得するため、復号化アルゴリズム及び前記セッション鍵に基づいて、前記セッション鍵によって暗号化された前記属性設定情報を復号化するための復号化手段と、
　前記属性設定情報に基づいて前記認証装置のキャリア属性を設定するための設定手段と、を備え、
　前記属性設定情報は、少なくとも国際移動体加入者識別番号（International Mobile Subscriber Identification Number，IMSI）及び鍵識別子（Key identifier，Ki）を有し、
　前記通信制御装置は、インターネットに接続することで、前記サーバとデータインタラクションを行い、
　前記設定手段が前記キャリア属性の設定に成功した後に通知情報を送信するための通知手段を更に備えることを特徴とする、
認証装置。
【請求項７】
　サーバに設けられる中央制御装置であって、
　移動端末に設けられた通信制御装置と通信を行うことによって、移動端末に設けられ移動ユーザのID認証を行うための認証装置の識別情報を受信するための第１の受信手段と、
　前記識別情報及び暗号化情報に基づいて、前記認証装置に対してID認証を行うとともに、認証に成功した場合にセッション鍵を確立するための第２の認証手段と、
　前記通信制御装置が前記セッション鍵及び前記セッション鍵によって暗号化された属性設定情報を前記認証装置に送信して前記認証装置が復号化により前記属性設定情報を取得して前記属性設定情報に基づいて前記認証装置のキャリア属性を設定するように、前記セッション鍵及び前記セッション鍵によって暗号化された前記属性設定情報を前記移動端末に設けられた前記通信制御装置に送信するための第２の送信手段と、
を備え、
　前記属性設定情報は、少なくとも国際移動体加入者識別番号（International Mobile Subscriber Identification Number，IMSI）及び鍵識別子（Key identifier，Ki）を有し、
　前記通信制御装置は、インターネットに接続することで、前記サーバとデータインタラクションを行い、
　前記属性設定情報を管理するための管理手段を更に備えることを特徴とする、
中央制御装置。」
２　補正の適否
（１）補正の目的要件
　請求項６についての上記補正は、本件補正前の請求項７に記載された発明の「中央制御装置」について、「
前記認証装置により設定された前記キャリア属性が2つ以上である場合、前記認証装置は、前記キャリア属性に対する前記通信制御装置の選択結果に基いて、前記移動端末に関して選択された前記キャリア属性に対応したネットワークに切替えて通信を行わせ、
　前記認証装置は、さらに、前記通信制御装置による制御に基いて、前記キャリア属性を削除し、
　前記認証装置は、トランスポートプロトコルデータユニット（Transport Protocol Data Unit，TPDU）のプロトコルに合致するデータパスを介して前記通信制御装置と通信する
　よって、請求項６についての上記補正は、本件補正前の請求項７に記載された発明を特定するために必要な事項を限定するものとはいえないから、特許法第１７条の２第５項第２号の特許請求の範囲の減縮を目的とするものではない。
（２）独立特許要件
　上記（１）のとおりであるが、更に進めて、特許法第１７条の２第５項第２号に規定する事項を補正の目的とする、本件補正後の請求項３に記載された発明（以下、「本願補正発明」という。）が特許出願の際独立して特許を受けることができるものであるか（特許法第１７条の２第６項において準用する同法第１２６条第７項の規定に適合するか）について、以下に検討する。
ア　本願補正発明
　本願補正発明は、上記「１　本件補正について」の「（１）本件補正後の特許請求の範囲の記載」の請求項３に記載したとおりのものと認める（再掲）。
「【請求項３】
　移動端末に設けられ、移動ユーザのID認証を行うことにより前記移動端末がネットワークにおいて通信を行うための認証装置であって、
　前記移動端末に設置された通信制御装置と通信を行って、前記通信制御装置が取得したサーバによって出されたセッション鍵及び前記セッション鍵によって暗号化された属性設定情報を受信する第３の取得手段と、
　前記属性設定情報を取得するため、復号化アルゴリズム及び前記セッション鍵に基づいて、前記セッション鍵によって暗号化された前記属性設定情報を復号化するための復号化手段と、
　前記属性設定情報に基づいて前記認証装置のキャリア属性を設定するための設定手段と、を備え、
　前記属性設定情報は、少なくとも国際移動体加入者識別番号（International Mobile Subscriber Identification Number，IMSI）及び鍵識別子（Key identifier，Ki）を有し、
　前記通信制御装置は、インターネットに接続することで、前記サーバとデータインタラクションを行い、
　前記設定手段が前記キャリア属性の設定に成功した後に通知情報を送信するための通知手段を更に備え
、
　前記認証装置により設定された前記キャリア属性が2つ以上である場合、前記認証装置は、前記キャリア属性に対する前記通信制御装置の選択結果に基いて、前記移動端末に関して選択された前記キャリア属性に対応したネットワークに切替えて通信を行わせ、
　前記認証装置は、トランスポートプロトコルデータユニット（Transport Protocol Data Unit，TPDU）のプロトコルに合致するデータパスを介して前記通信制御装置と通信する、
ことを特徴とする認証装置。」
イ　引用例に記載された事項及び引用発明
（ア）引用例１に記載された事項及び引用発明
　原査定の拒絶の理由で引用された特開２０１２−９５３０６号公報（以下、「引用例１」という。）には、図面とともに、以下の事項が記載されている。（下線は当審が付与。）
ａ　「【００２７】
　
従来の加入者識別モジュール（ＳＩＭ）オペレーション
　典型的な
従来のＵＭＴＳセルラーネットワークの状況において、ユーザ装置（ＵＥ）は、携帯装置及びユニバーサル電子加入者識別モジュール（ＵＳＩＭ）を備えている。このＵＳＩＭは、記憶され
ユニバーサル集積回路カード（ＵＩＣＣ）から実行される論理的ソフトウェアエンティティである。加入者情報、無線ネットワークサービスを得るためにネットワークオペレータとの認証に使用されるキー及びアルゴリズムのような種々の情報がこのＵＳＩＭに記憶される。
【００２８】
　一般的に、ＵＩＣＣは、加入者への配布の前にＵＳＩＭでプログラムされ、再プログラミング又は
「パーソナル化」は、各ネットワークオペレータ特有のものである。
ＵＳＩＭは、国際移動電話加入者識別番号（ＩＭＳＩ）、
及び特定の認証キー（Ｋ）に関連付けられる。ネットワークオペレータは、その関連性を、ネットワーク認証センター（ＡｕＣ）内に収容されたレジストリーに記憶する。パーソナル化の後に、ＵＩＣＣは、加入者へ配布することができる。
【００２９】
　図１には、上述した
従来のＵＳＩＭを使用する１つの典型的な認証及びキー合意（ＡＫＡ）手順１００が詳細に示されている。通常の認証手順の間に、ＵＥ１０２は、ＵＳＩＭ１０４から国際移動電話加入者識別番号（ＩＭＳＩ）を取得する。ＵＥは、それを、ネットワークオペレータのサービングネットワーク（ＳＮ）１０６
へ渡す。ＳＮは、認証要求をホームネットワーク（ＨＮ）のＡｕＣ１０８へ転送する。ＨＮは、受信したＩＭＳＩをＡｕＣのレジストリーと比較し、そして適当なＫを得る。ＨＮは
予想される応答（ＸＲＥＳ）を生成する
Ｋでサインする
ＨＮは
ＸＲＥＳ
をＳＮへ送信する
【００３０】
　ＵＥ１０２がＲＡＮＤ及びＡＵＴＮを受け取ると、ＵＳＩＭ１０４は、受け取ったＡＵＴＮが有効であるかどうか検証する。もしそうであれば、
ＵＥは
記憶されたＫ
を使用して、それ自身の応答（ＲＥＳ）を計算する。ＵＥは、ＲＥＳをＳＮへ返送する。ＳＮ１０６は、ＸＲＥＳを受け取ったＲＥＳと比較し、それらが一致する場合に、ＳＮは、オペレータのワイヤレスネットワークサービスの利用についてＵＥを認証する。
ｂ　「【００３１】
　
典型的な動作
　本発明の典型的な実施形態の状況では、従来のように物理的なＵＩＣＣを使用するのではなく、
ＵＩＣＣは、
ＵＥのセキュアなエレメント
内に収容されるソフトウェアアプリケーション、以下、電子ユニバーサル集積回路カード（ｅＵＩＣＣ）と称される、のような仮想又は電子的エンティティとしてエミュレートされる。ｅＵＩＣＣは、以下、電子加入者識別モジュール（ｅＳＩＭ）と称される複数のＵＳＩＭエレメントを記憶し
各ｅＳＩＭは、
ＵＳＩＭと同じ論理的エンティティを収容する。ｅＵＩＣＣは、
ｅＳＩＭを選択する。ｅＵＩＣＣが望ましいｅＳＩＭを選択すると、ＵＥは、認証手順を開始して、ｅＳＩＭの対応するネットワークオペレータからワイヤレスネットワークサービスを得ることができる。
【００３２】
　図２には、本発明に従うｅＳＩＭデータのセキュア配信の１つの典型的なセルラーシステム２００が示されている。ユーザはローカルキャリアに関する認証済みの小売りエンティティから無線デバイスを購入する。無線デバイスのｅＵＩＣＣはアクセスモジュールにより予めロードされている。例えば、引用でここで組み入れられた２０１１年４月５日に出願された“METHOD AND APPARATUS FOR STORAGE AND EXECUTION OF ACCESS CONTROL CLIENTS”と題する共有且つ同時係属の米国特許出願第１３／０８０，５２１号を参照のこと。それは、信頼された通信を確立するための典型的な装置及び方法が記載されている。
【００３３】
　アクセスモジュールの制限付き機能は、ローカルキャリアネットワークの所定のデータポータルとのデータ接続を確立し、更新ポータルからソフトウェアパッケージをダウンロードし、受信したパッケージをアセンブルするよう構成される。これらのパッケージは、全体又は一部に、オペレーティングシステムコンポーネント、アクセス制御クライアント、ユーザアカウントデータなどを含む。以下の例においては、ユーザはかれらのデバイスに新たなｅＳＩＭをダウンロードし、これにより物理的コンポーネント保有要求を未然に取り除く。ｅＳＩＭはユーザを認証し、その後に、ネットワークユーザへのアクセスを与える。ネットワークアクセスは、セル式コールをセットしたり受信すること、インターネットを閲覧すること、ネットワーク上で視聴覚コンテンツにアクセスすることなどのエンドユーザオペレーションを許可する。
【００３４】
　方法２００のステップ２０２で、無線デバイスは携帯端末のｅＵＩＣＣセキュア要素とローカルキャリア更新ポータルとの間で認証積みデータセッションを確立する。セッション認証はｅＵＩＣＣモジュール識別データに基づく。本発明の開示が用いられるとき、当業者であれば様々な他のアプローチを認識するのであるが、ｅＵＩＣＣモジュール識別データはｅＵＩＣＣに対して予め存在するキー使用を参照する。ここで詳細に述べるように、ｅＵＩＣＣは、公開/秘密鍵によって「燃焼された」即ちハードコード化されたアクセスモジュールを含み、そして認証機関（例えば、その譲受人）により証明される。公開鍵及び承認証明はローカルキャリア更新ポータルへ提供される。このローカルキャリア更新ポータルは承認証明を検証する（例えば、証明を発行する認証機関の検証）。承認証明が有効であれば、
ローカルキャリア更新ポータルは
セッションキーを携帯デバイスに送信する。
【００３５】
　上述した交換の完了が成功することは、携帯デバイス及びローカルキャリア更新ポータルが本物であり、共有のセッションキーを有することを保証する。共有セッションキーは、携帯デバイス及びローカルキャリア更新ポータル間のセキュアなセッションを実行するために仕様される。
【００３６】
　図２を参照すると、ステップ２０４で、ユーザ（又はデバイス管理主体）は、１以上の更新オプションをもらう。様々なオプションとして、例えば、利用可能なデータプラン、利用可能なネットワークキャリアオプションなどのリストを含む。ステップ２０６で、ユーザ選択を受信すると、
１以上のパッケージがローカルキャリア更新ポータルによって準備される。ステップ２０８で、それらパッケージは携帯デバイスに送信され、各パッケージはセッションキーで暗号化されている。
【００３７】
　
１以上のパッケージは、
ｅＳＩＭを含む
【００３８】
　ステップ２１０で、
セキュアに配信されたパッケージを受信した後、ブートストラップＯＳはパッケージをロードし且つアセンブルすることができる。
【００３９】
　追加のサービスは、要求があると、例えば、新たなアカウント情報（例えば、ユーザ名、アカウント番号、パスワード、及び／又はＰＩＮ）のためにユーザを促すデバイスによって起動される（ステップ２１２）。その後、更新された携帯デバイスは、音声コール、ユーザデータの送受信などを行なう十分に特徴付けられたｅＳＩＭをアクティベートする。或いはまた、無線（セルラー）式でない実施例の場合、アクセスポイント又はゲートウェイアクセス、ブロードバンドアクセスなどの機能は、上述した方法を用いて可能にされる。」（９〜１１ページ）
ｃ　「【００４１】
　典型的な一実施例において、
ｅＵＩＣＣはブートストラップＯＳ
を
含む。
（中略）
【００４４】
　ブートストラップＯＳが更新される場合、ローカルキャリア更新ポータルは携帯デバイスのブートストラップＯＳプロファイルコンフィグレーションを記憶する（ステップ３０６）。ブートストラップＯＳプロファイルは、これに限定するものではないが、ネットワーク認証コンフィグレーション、ｅＳＩＭ管理などを含む。この記憶されたＯＳプロファイルは、共通のＯＳ更新パッケージを構成するために後に使用される（共通ＯＳ更新は携帯デバイスのコンフィグレーションに対して特有である）。ブートストラップＯＳを含む更新パッケージがその後に携帯デバイスにダウンロードされ、新たなブートストラップＯＳにアセンブリされる（ステップ３０８）。
ｅＵＩＣＣ内の
ブートストラップ
（中略）
【００４８】
　
方法
　いま、図４を参照すると、
セルラーネットワークを介した電子識別コンポーネントを配信する汎用方法４００の一実施例が示される。
【００４９】
　ステップ４０２で、
携帯デバイスは
キャリアネットワーク上の更新ポータルへの接続を確立する。
【００５０】
　幾つかの実施例において、プリロードされた制限機能アクセスモジュールは、複数の望ましいキャリアのためにスキャンされる。マルチキャリアが利用可能であ場合、デバイスは１以上のキャリアネットワークの利用性を判断し、利用可能なキャリアのリストから選択する。一実施例において、キャリアのリストは、「望ましい」キャリアの中に追加的に優先づけられる。この望ましいキャリアは、例えば、ビジネス上の考慮、ユーザの嗜好などによって他のキャリアにわたり優先づけられる。幾つかの実施例において、キャリアのリストは、グラフィカルユーザインタフェース（ＧＵＩ）を介してユーザに示される。
（中略）
【００５２】
　典型的な一実施例において、ステップ４０２は、機能なアクセス制御クライアントをもつデバイスに先だって、認証されたデータセッションを要求する。つまり、デバイスが有効なｅＳＩＭを起動する前に、ステップ４０２を実行する。先にここに組み入れた、２０１０年４月５日に出願された“METHODS AND APPARATUS FOR STORAGE AND EXECUTION OF ACCESS CONTROL CLIENTS”と題する共有で同時係属の米国特許出願第１３／０８０，５２１号に記載されたようなセキュアな変換スキームの一実施例に対する参照をする。通常の技術者であれば、後述するスキームが他の類似のスキームと置き換えられることを認識するであろう。
（中略）
【００５７】
　図４を参照すると、
ステップ４０４で、携帯デバイスは
要求又は指令をだす。
【００５８】
　一実施例において、
更新ポータルは更新要求（例えば、ｅＳＩＭのダウンロード
を解析し、そしてこれらに応じた適切な更新パッケージを生成する。
【００５９】
　
ステップ４０６で、更新パッケージが準備される。
ステップ４０８で、更新パッケージは宛先（ターゲット）に至るまで空中上でセキュアに配信される。これらのパッケージは
アクセス制御クライアント
を含む
携帯デバイスはアクセス制御クライアントをダウンロードし及び／又は更新する。
アクセス制御クライアントはｅＳＩＭである。
ｄ　「【００６３】
　
典型的な移動装置
　
図５には
ユーザ又はクライアント移動装置５００が示されている。
【００６４】
　
図５の
ＵＥ装置
【００６５】
　１つの典型的な実施形態において、装置は、１つ以上のワイヤレスネットワークに接続するようにされた１つ以上のワイヤレスインターフェイス（５０６）で構成される。これら複数のワイヤレスインターフェイスは、適当なアンテナ及びモデムサブシステムを具現化することにより、ＧＳＭ、ＣＤＭＡ、ＵＭＴＳ、ＬＴＥ／ＬＴＥ−Ａ、ＷｉＭＡＸ、ＷＬＡＮ、ブルーツース、等の異なる無線技術をサポートすることができる。
（中略）
【００６７】
　ここに示す実施形態では、
ｅＵＩＣＣアプリケーションを含んでいてそれを動作するセキュアなエレメント５１０を装置が備えている。このｅＵＩＣＣは、複数のアクセス制御クライアントを記憶し
（中略）
【００６９】
　図５を参照すると、典型的な一実施例において、アクセスモジュールは、１以上のアクセス制御クライアントによる使用のためにコンポーネントを受信し記憶することができる。セキュアな要素は関連する承認鍵を有する。この承認鍵は、携帯デバイスと外部の更新ポータルとの間の通信を保護し且つ検証するのに用いられる。一つの応用として、この承認鍵は、非対称の公開／秘密鍵組のうちの秘密鍵である。他方の公開鍵は、秘密鍵との整合性を妥協することなく、自由に配信されることができる。一つの応用として、デバイスには公開／秘密鍵が割り当てられる。別の応用例として、デバイスは内部的に公開／秘密鍵を生成する。代替の例として、承認鍵は対称鍵のアルゴリズムに基づいている。承認鍵は、承認鍵の整合性を確実にするために注意深く配信されなければならない。
【００７０】
　さらに、典型的な実施例の様々な具現化がブートストラップのオペレーティングシステムを含み、それはオペレーションのために少なくとも１つのアクセス制御クライアントを選択するよう構成される。一応用として、ブートストラップのオペレーティングシステムは、実行前に、アクセス制御クライアントの整合性を検証する。さらに、一実施例において、
ブートストラップＯＳは少なくとも１つのマルチアクセス制御クライントを記憶、選択、実行するよう構成される。特に、本発明の様々なインプリメンテーションは、マルチｅＳＩＭを記憶するよう適合され、ｅＳＩＭが現在のネットワークキャリアとオペレーションすることが選択的にできるようにする。
【００７１】
　
携帯デバイスに電子識別コンポーネントを配信する上述した方法及び装置は、セルラーネットワーク上のものとして示したものであるが、当業者であれば、他の配信スキームが同様に置き換えられることを容易に理解するであろう。例えば、他の応用として、電子識別コンポーネントはローカルエリアネットワーク
上で配信され得る。
ｅ　「【外国語明細書】
(中略）
Prior Art Subscriber Identity Module (SIM) Operation-
　　Within the context of prior art UMTS cellular networks, 
a user equipment (UE) includes a mobile device 
ｆ　「If the endorsement certificate is valid, 
the local carrier update portal transmits
a session key to the mobile device
one or more packages are prepared by the local carrier update portal
the packages are transmitted to the mobile device, each package encrypted with the session key.
ｇ　図５
　上記ａ〜ｇの各摘記事項及び当該技術分野の技術常識を考慮すると、
（ａ）上記ｂの段落００３１、上記ｄの００６３〜００６４、００６７及び上記ｇの図５の記載によれば、「ＵＥ装置」は移動装置であり、「ＵＥ装置」は、電子ユニバーサル集積回路カード（ｅＵＩＣＣ）を含むセキュアなエレメントを備えることから、「電子ユニバーサル集積回路カード（ｅＵＩＣＣ）」は「移動装置であるユーザ装置（ＵＥ）に備えられ」ているといえる。なお、上記ａの段落００２７の「ユーザ装置（ＵＥ）」、上記ｂの段落００３１の「ＵＥ」、上記ｄの段落００６４の「ＵＥ装置」はいずれも同一のものといえるから、以降、「ユーザ装置（ＵＥ）」と表記する。
　次に、上記ｂの段落００３１の記載によれば、電子ユニバーサル集積回路カード（ｅＵＩＣＣ）は、複数のｅＳＩＭを記憶し、各ｅＳＩＭはＵＳＩＭと同じ論理エンティティを収容する。ここで、上記ａの段落００２９〜００３０の記載によれば、ＵＳＩＭは、国際移動電話加入者識別番号（ＩＭＳＩ）を用いて認証を行うところ、ＵＳＩＭと同じ論理エンティティを収容するｅＳＩＭを記憶している電子ユニバーサル集積回路カード（ｅＵＩＣＣ）も同様に、「国際移動電話加入者識別番号（ＩＭＳＩ）を用いて認証を行う」といえる。
　そして、上記ｂの段落００３１の記載によれば、ＵＥは、ｅＳＩＭによる認証手順を開始して、ｅＳＩＭの対応するネットワークオペレータからワイヤレスネットワークサービスを得ることができることから、電子ユニバーサル集積回路カード（ｅＵＩＣＣ）は、「ユーザ装置（ＵＥ）がネットワークオペレータからワイヤレスネットワークサービスを得るため」に「国際移動電話加入者識別番号（ＩＭＳＩ）を用いた認証を行う」といえる。
　よって、引用例１には、「移動装置であるユーザ装置（ＵＥ）に備えられ、国際移動電話加入者識別番号（ＩＭＳＩ）を用いた認証を行うことにより前記ユーザ装置（ＵＥ）がネットワークオペレータからワイヤレスネットワークサービスを得るための電子ユニバーサル集積回路カード（ｅＵＩＣＣ）」が記載されている。
（ｂ）上記ａの段落００２７の記載によれば、従来のユーザ装置（ＵＥ）は、「携帯装置」及び「ユニバーサル電子加入者識別モジュール（ＵＳＩＭ）」を備える。そして、上記ｂの段落００３１の記載によれば、電子ユニバーサル集積回路カード（ｅＵＩＣＣ）は、電子加入者別モジュール（ｅＳＩＭ）と称される複数のＵＳＩＭエレメントを記憶していることから、当該電子ユニバーサル集積回路カード（ｅＵＩＣＣ）を備えるユーザ装置（ＵＥ）もまた、本体としての「携帯装置」及びＵＳＩＭエレメントを記憶しているｅＵＩＣＣを備えるといえる。よって、「携帯装置」は「ユーザ装置（ＵＥ）に備えられ」ているといえる。
　そして、上記ｂの記載によれば、ローカルキャリア更新ポータルは、セッションキーを「携帯デバイス」に送信し（段落００３４）、ローカルキャリア更新ポータルは、セッションキーで暗号化されたパッケージを「携帯デバイス」に送信し（段落００３６）、パッケージはｅＳＩＭを含む（段落００３７）ことから、「携帯デバイス」が「ローカルキャリア更新ポータルによって送信されたセッションキー及び前記セッションキーで暗号化されたｅＳＩＭを含むパッケージを受信する」といえる。
　ここで、上記「携帯装置」及び「携帯デバイス」に関して、上記ｆ及びｇの【外国語明細書】の記載によれば、いずれも「mobile device」と表記されており、上記「携帯装置」及び「携帯デバイス」は同一のものといえるから、以降、「携帯デバイス」と表記する。
　そして、上記ｃの段落００４１及び００４４の記載によれば、ブートストラップＯＳがｅＵＩＣＣに含まれ、上記ｂの記載によれば、パッケージはローカルキャリア更新ポータルから携帯デバイスへ送信され（段落００３６）、パッケージを受信した後、ブートストラップＯＳはパッケージをロードし且つアセンブルする（段落００３８）。このパッケージはｅＳＩＭを含む（段落００３７）。ここで、ブートストラップＯＳは携帯デバイスが受信したパッケージをロードし且つアセンブルすることから、ブートストラップＯＳは、携帯デバイスから、当該パッケージを受信していることは明らかである。したがって、携帯デバイスが、「パッケージを受信すると、ｅＵＩＣＣに含まれるブートストラップＯＳは、前記携帯デバイスから、前記ｅＳＩＭを含むパッケージを受信」しているといえる。
　次に、上記ｂの段落００３６の記載によれば、各パッケージはセッションキーで暗号化され、上記ｂの段落００３４の記載によれば、セッションキーはローカルキャリア更新ポータルから送信されているので、上記「セッションキーで暗号化されたｅＳＩＭを含むパッケージ」が、「復号化アルゴリズム」と、ローカルキャリア更新ポータルから送信された「セッションキーに基づいて復号化される」ことは明らかである。
　よって、引用例１には、「前記ユーザ装置（ＵＥ）に備えられた携帯デバイスがローカルキャリア更新ポータルによって送信されたセッションキー及び前記セッションキーで暗号化されたｅＳＩＭを含むパッケージを受信すると、ｅＵＩＣＣに含まれるブートストラップＯＳは、前記携帯デバイスから、前記ｅＳＩＭを含むパッケージを受信し」、「ここで、前記セッションキーで暗号化されたｅＳＩＭを含むパッケージは、復号化アルゴリズム及び前記セッションキーに基づいて復号化され」ることが記載されている。
（ｃ）上記（ｂ）によれば、「ｅＵＩＣＣに含まれるブートストラップＯＳは、ｅＳＩＭを含むパッケージをロードし且つアセンブル」するといえる。
　そして、上記ｂの段落００３１の記載によれば、ｅＵＩＣＣは複数のｅＳＩＭを記憶している。
　よって、引用例１には、「前記ｅＵＩＣＣに含まれるブートストラップＯＳは、ｅＳＩＭを含むパッケージをロードし且つアセンブルし、前記ｅＵＩＣＣは前記ｅＳＩＭを記憶」することが記載されている。
（ｄ）上記ａの段落００２７の記載によれば、ＵＳＩＭは、加入者情報及び認証に使用されるキー及びアルゴリズムを記憶し、ＵＳＩＭはＵＩＣＣに記憶される。また、上記ａの段落００２８の記載によれば、ＵＳＩＭは、少なくとも、国際移動電話加入者識別番号（ＩＭＳＩ）及び特定の認証キー（Ｋ）に関連付けられ、ネットワークオペレータはその関連性をネットワーク認証センター（ＡｕＣ）に記憶した後、ＵＩＣＣとして加入者へ配布する。ここで、ネットワークオペレータによって、ＵＳＩＭに関連付けされ、ネットワーク認証センター（ＡｕＣ）に記憶される、国際移動電話加入者識別番号（ＩＭＳＩ）及び特定の認証キー（Ｋ）は、各ネットワークオペレータに特有の情報といえる。
　そして、上記ｂの段落００３１の記載によれば、ｅＳＩＭは、ＵＳＩＭと同じ論理的エンティティを収容するから、ｅＳＩＭは、ＵＳＩＭと同じ情報を記憶するといえる。
　よって、引用例１には、「前記ｅＳＩＭは、少なくとも、各ネットワークオペレータに特有の情報として国際移動電話加入者識別番号（ＩＭＳＩ）及び認証キー（Ｋ）を記憶」することが記載されている。
（ｅ）上記ｄの段落００７１の記載によれば、携帯デバイスは、セルラーネットワーク以外の、例えば、ローカルエリアネットワーク上で電子識別コンポーネントを配信され得る。そして、上記ｃの記載によれば、セルラーネットワークを介した電子識別コンポーネントを配信する方法（段落００４８）が記載され、携帯デバイスは、キャリアネットワークを介して更新ポータルへの接続を確立し（段落００４９）、更新ポータルへ更新要求を送信すると（段落００５７〜００５８）、更新ポータルからアクセス制御クライアントを含む更新パッケージが配信される（段落００５９）。なお、アクセス制御クライアントはｅＳＩＭである（段落００５９）。ここで、上記ｂの「ローカルキャリア更新ポータル」と、上記ｃの「更新ポータル」は同一のものといえるから、以降、「ローカルキャリア更新ポータル」と表記する。
　よって、引用例１には、「携帯デバイスは、セルラーネットワーク以外のローカルエリアネットワーク上でローカルキャリア更新ポータルへ更新要求を送信するとローカルキャリア更新ポータルからｅＳＩＭを含むパッケージを配信され得」ることが記載されている。
（ｆ）上記ｂの段落００３１の記載によれば、ｅＵＩＣＣは複数のｅＳＩＭを記憶し、ｅＵＩＣＣが望ましいｅＳＩＭを選択すると、ＵＥは、ｅＳＩＭの対応するネットワークオペレータからワイヤレスネットワークサービスを得ることができる。よって、「ｅＵＩＣＣが複数のｅＳＩＭを記憶する場合」、「ｅＵＩＣＣはｅＳＩＭを選択」するといえる。
　そして、上記（ｅ）で述べたとおり、携帯デバイスは、セルラーネットワーク以外のローカルエリアネットワーク上でローカルキャリア更新ポータルからｅＳＩＭを含むパッケージを配信され得るところ、当該ローカルエリアネットワーク上でパッケージの配信を受けた場合に、その後の選択されたｅＳＩＭの対応するネットワークオペレータからワイヤレスネットワークサービスを得るために、ユーザ装置（ＵＥ）は、ローカルエリアネットワークから、選択されたｅＳＩＭの対応するネットワークに切り替えて、通信を行うことは明らかであるから、「前記ｅＵＩＣＣは、前記ｅＳＩＭを選択」し「前記ユーザ装置（ＵＥ）に、選択された前記ｅＳＩＭの対応するネットワークに切替えて通信を行わせる」といえる。
　よって、引用例１には、「ｅＵＩＣＣが複数のｅＳＩＭを記憶する場合、前記ｅＵＩＣＣは、前記ｅＳＩＭを選択し、前記ユーザ装置（ＵＥ）に、選択された前記ｅＳＩＭの対応するネットワークに切替えて通信を行わせる」ことが記載されている。
　以上を総合すると、引用例１には、次の発明（以下、「引用発明」という。）が記載されていると認める。
「移動装置であるユーザ装置（ＵＥ）に備えられ、国際移動電話加入者識別番号（ＩＭＳＩ）を用いた認証を行うことにより前記ユーザ装置（ＵＥ）がネットワークオペレータからワイヤレスネットワークサービスを得るための電子ユニバーサル集積回路カード（ｅＵＩＣＣ）であって、
　前記ユーザ装置（ＵＥ）に備えられた携帯デバイスがローカルキャリア更新ポータルによって送信されたセッションキー及び前記セッションキーで暗号化されたｅＳＩＭを含むパッケージを受信すると、前記ｅＵＩＣＣに含まれるブートストラップＯＳは、前記携帯デバイスから、前記ｅＳＩＭを含むパッケージを受信し、
　ここで、前記セッションキーで暗号化されたｅＳＩＭを含むパッケージは、復号化アルゴリズム及び前記セッションキーに基づいて復号化され、
　前記ｅＵＩＣＣに含まれるブートストラップＯＳは、前記ｅＳＩＭを含むパッケージをロードし且つアセンブルし、前記ｅＵＩＣＣは前記ｅＳＩＭを記憶し、
　前記ｅＳＩＭは、少なくとも、各ネットワークオペレータに特有の情報として国際移動電話加入者識別番号（ＩＭＳＩ）及び認証キー（Ｋ）を記憶し、
　前記携帯デバイスは、セルラーネットワーク以外のローカルエリアネットワーク上で前記ローカルキャリア更新ポータルへ更新要求を送信すると前記ローカルキャリア更新ポータルからｅＳＩＭを含むパッケージを配信され得、
　前記ｅＵＩＣＣが複数のｅＳＩＭを記憶する場合、前記ｅＵＩＣＣは、前記ｅＳＩＭを選択し、前記ユーザ装置（ＵＥ）に、選択された前記ｅＳＩＭの対応するネットワークに切替えて通信を行わせる、電子ユニバーサル集積回路カード（ｅＵＩＣＣ）。」
（イ）引用例２に記載された事項
　同じく原査定の拒絶の理由で引用された欧州特許出願公開第２７４７４６６号明細書（以下、「引用例２」という。）には、図面とともに、以下の事項が記載されている。（下線は当審が付与。）
ａ　「
Field of the Invention
[0001]　The invention relates to mobile communications in general and in particular to methods and devices for over-the-air (OTA) subscription management of 
mobile terminals comprising a secure element, such as 
an eUICC/
Background of the Invention 
[0002]（中略）According to the GSM standard, the technical features of which are defined by a large number of interrelated and mutually dependent specifications published by the ETSI standardization organization, the SIM contains subscription credentials for authenticating and identifying the user of the mobile terminal, including in particular an International Mobile Subscriber Identity (IMSI) and an authentication key Ki .（後略）」（２ページ左欄３行〜３３行）
（[当審仮訳]:
発明のフィールド
[0001]本発明は概してモバイル通信に関し、特に、加入者識別モジュール（ＳＩＭ）、
ｅＵＩＣＣ
のようなセキュアな要素を備えるモバイル端末
発明の背景
[0002]（中略）ＧＳＭ標準の技術的特徴はＥＳＴＩ標準化組織により発行された相互に関係し相互に依存する多数の仕様によって規定されているが、ＳＩＭは、特に国際移動加入者識別番号（ＩＭＳＩ）と認証鍵Ｋｉを含む、モバイル端末のユーザを認証し識別するための加入証明書を含む。）
ｂ　「
Detailed description of preferred embodiments
（中略）
[0030]  An exemplary 
mobile terminal 12
including a secure element 20
[0031]　According to preferred embodiments of the invention 
the secure element 20 is configured as an eUICC 
with a SIM application running thereon
[0039]（中略）Although 
the secure element 20 and the mobile terminal 12 communicate
with the subscription management server 42
this communication can happen over a different communication channel as well, such as a LAN, WLAN or WiFi network connected to the Internet.
（[当審仮訳]:
好ましい実施形態の詳細な説明
（中略）
[0030]例示的な
モバイル端末１２が
セキュアな要素２０を含む
[0031]本発明の好ましい実施形態に従った
セキュアな要素２０は、その上で実行するＳＩＭアプリケーションを備えるｅＵＩＣＣ
として構成される
[0039]（中略）
セキュアな要素２０及びモバイル端末１２は
加入管理サーバ４２
と通信するが
この通信が、インターネットに接続されたＬＡＮ、ＷＬＡＮ又はＷｉＦｉのような異なる通信チャネルを介して生じ得る
ｃ　「[0054]  Once the user of the mobile terminal 12 has selected one of the available subscription profiles, for instance, via a touchpad of his mobile terminal 12, the subscription management server 42 is informed about the selected subscription profile (referred to in  figure 2  as subscription profile SUB), which, in turn, forwards this information to the subscription provisioning server 44. Thus, both the subscription management server 42 and the subscription provisioning server 44 are informed about the subscription profile SUB selected by the user of the mobile terminal 12.
[0055]　According to the present invention the selected 
subscription profile SUB
includes a hardware specific portion as well as a cellular communications network specific portion. The hardware specific portion of the subscription profile SUB
comprises at least parts of a secure element operating system (referred to as operating system OS in figure 2 ) and/or one or more applications (referred to as applications APPS in  figure 2 )
The network specific portion of the subscription profile SUB
comprises subscription credentials (referred to in  figure 2  as subscription credentials CREDS), such as an International Mobile Subscriber Identity (IMSI) and/ or an authentication key Ki 
（[当審仮訳]:
[0054]モバイル端末１２のユーザが、自分のモバイル端末１２のタッチパッドを介して、例えば、利用可能な加入プロファイルのうちの１つを選択すると、加入管理サーバ４２は、選択された加入プロファイル（図２における加入プロファイルＳＵＢという）を通知され、この情報を加入プロビジョニングサーバ４４へ転送する。このように、加入管理サーバ４２及び加入プロビジョニングサーバ４４は、モバイル端末１２のユーザによって選択された加入プロファイルＳＵＢについて通知される。
[0055]本発明によれば、選択された
加入プロファイルＳＵＢは、セルラー通信ネットワークに特定の部分だけでなくハードウェアに特定の部分も含む。加入プロファイルＳＵＢのハードウェアに特定の部分は、
少なくともセキュアな要素のオペレーティングシステムの一部（図２ではオペレーティングシステムＯＳと呼ぶ）及び
１つ以上のアプリケーション（図２ではアプリケーションＡＰＰＳと呼ぶ）を含み
加入プロファイルＳＵＢのネットワークに特定の部分は、
国際移動加入者識別番号（ＩＭＳＩ）及び／又は認証鍵Ｋｉのような、加入証明書（図２では加入証明書ＣＲＥＤＳと呼ぶ）を含む
ｄ　「[0061]　In step S11 of  figure 2  
the subscription management server 42 transmits the encrypted version of the message M to the secure element 20 via the mobile terminal 12. Having received the encrypted message M, the secure element 20, in turn, decrypts this message M
using the session key K ses
From the decrypted message M the secure element 20 extracts the operating system OS, the one or more applications APPS as well as the subscription credentials CREDS of the subscription profile SUB
[0062]　
Once the subscription profile SUB has been successfully implemented on the secure element 20 in step S12 of  figure 2 , the secure element 20 sends in step S13 of  figure 2  a confirmation message
（[当審仮訳]:
[0061]図２のステップＳ１１において、
加入管理サーバ４２は、モバイル端末１２を介してセキュアな要素２０にメッセージＭの暗号化されたバージョンを送信する。暗号化されたメッセージＭを受信し、セキュアな要素２０は
セッションキーＫｓｅｓを用いて
このメッセージＭを復号化する。復号化されたメッセージＭから、セキュアな要素２０は
加入プロファイルＳＵＢの加入証明書ＣＲＥＤＳだけでなく、オペレーティングシステムＯＳ、１つ以上のアプリケーションＡＰＰＳも抽出する
[0062]
図２のステップＳ１２において、セキュアな要素２０において加入プロファイルＳＵＢの実行が成功すると、図２のステップＳ１３において、セキュアな要素２０は
確認メッセージを送信する
ｅ  Fig.2
（[当審仮訳]:
（前略）
Ｓ１１：　ＳＥにＥＮＣ（Ｍ，Ｋ_ｓｅｓ）を送信する。
Ｓ１２：　ＳＥはデータを復号化し、
サブスクリプションをインストールする。
Ｓ１３：　ＳＥはインストールの成功を確認し
　上記ａ〜ｅの各摘記事項及び当該技術分野の技術常識を考慮すると、
（ａ）上記ａの段落0001及び上記ｂの段落0030〜0031の記載によれば、モバイル端末は、ｅＵＩＣＣとして構成されるセキュアな要素を備えるから、セキュアな要素は、「モバイル端末が備えるｅＵＩＣＣ」であるといえる。
　次に、上記ｃの段落００５５の記載によれば、加入プロファイルＳＵＢは、ＩＭＳＩ及びＫｉのような加入証明書ＣＲＥＤＳを含むことから、加入プロファイルＳＵＢはＩＭＳＩ及びＫｉを含むといえる。
　そして、上記ｃの段落００５５の記載によれば、加入プロファイルＳＵＢは、加入証明書ＣＲＥＤＳとオペレーティングシステムＯＳと１つ以上のアプリケーションＡＰＰＳを含み、上記ｄの段落００６１及び上記ｅのFig.2のS11及びS12の記載によれば、セキュアな要素は、暗号化されたメッセージＭを受信して復号化し、復号化されたメッセージＭから、加入プロファイルＳＵＢの加入証明書ＣＲＥＤＳとオペレーティングシステムＯＳと１つ以上のアプリケーションＡＰＰＳを抽出する。ここで、復号化されたメッセージＭから、加入プロファイルＳＵＢの加入証明書ＣＲＥＤＳとオペレーティングシステムＯＳと１つ以上のアプリケーションＡＰＰＳが抽出され、かつ、加入プロファイルＳＵＢが、加入証明書ＣＲＥＤＳとオペレーティングシステムＯＳと１つ以上のアプリケーションＡＰＰＳを含むことから、メッセージＭは加入プロファイルＳＵＢを含むといえる。
　よって、加入プロファイルＳＵＢがＩＭＳＩ及びＫｉを含み、メッセージＭが加入プロファイルＳＵＢを含むことから、暗号化されたメッセージＭは、ＩＭＳＩ及びＫｉを含む暗号化された加入プロファイルＳＵＢを含むといえる。
　そして、上記ｄの段落００６１及び上記ｅのFig.2のS11及びS12の記載によれば、加入管理サーバは、モバイル端末を介してセキュアな要素に、暗号化されたメッセージＭを送信し、セキュアな要素は、暗号化されたメッセージＭを受信して、セッションキーを用いてメッセージＭを復号化することから、セキュアな要素は、サーバからモバイル端末を介して受信した、暗号化されたメッセージＭを復号化するといえ、復号化手段がセキュアな要素に設けられていることは明らかである。よって、「サーバからモバイル端末を介して受信した、ＩＭＳＩ及びＫｉを含む暗号化された加入プロファイルＳＵＢを復号化するための復号化手段」がセキュアな要素に設けられているといえる。
　よって、引用例２には、「サーバからモバイル端末を介して受信した、ＩＭＳＩ及びＫｉを含む暗号化された加入プロファイルＳＵＢを復号化するための復号化手段を、モバイル端末が備えるｅＵＩＣＣに設ける」ことが記載されている。
（ｂ）上記ｂの段落0039の記載によれば、セキュアな要素及びモバイル端末は、インターネットに接続されたＬＡＮやＷＬＡＮを介して加入管理サーバと接続するから、セキュアな要素及びモバイル端末は、「ＬＡＮやＷＬＡＮを介してインターネットに接続する」といえる。ここで、上記ａの段落0001及び上記ｂの段落0031の記載によれば、セキュアな要素は、「ｅＵＩＣＣ」として構成される。
　そして、上記（ａ）で記載したとおり、「ｅＵＩＣＣ」は、「サーバから、ＩＭＳＩ及びＫｉを含む暗号化された加入プロファイルＳＵＢを受信」する。
　よって、引用例２には、「サーバから、ＩＭＳＩ及びＫｉを含む暗号化された加入プロファイルＳＵＢを受信するために、ｅＵＩＣＣ及びモバイル端末が、ＬＡＮやＷＬＡＮを介してインターネットに接続する」ことが記載されている。
（ｃ）上記ａの段落0001及び上記ｂの段落0031の記載によれば、セキュアな要素は、ｅＵＩＣＣとして構成される。
　そして、上記ｄの段落0062の記載によれば、図２のステップＳ１２及びＳ１３において、セキュアな要素において、加入プロファイルＳＵＢの実行が成功すると、確認メッセージを送信すると記載されている。ここで、上記ｅのFIG.2のS12の記載によれば、セキュアな要素は、データを復号化し、サブスクリプションをインストールし、上記ｅのFIG.2のS13の記載によれば、セキュアな要素は、インストールの成功を確認すると記載されていることから、加入プロファイルＳＵＢの実行が成功することは、加入プロファイルＳＵＢのインストールが成功することであることは明らかである。
　よって、引用例２には、「ｅＵＩＣＣが、加入プロファイルＳＵＢのインストールに成功すると、確認メッセージを送信する」ことが記載されている。
　以上を総合すると、引用例２には、次の公知技術が記載されていると認める。
「サーバからモバイル端末を介して受信した、ＩＭＳＩ及びＫｉを含む暗号化された加入プロファイルＳＵＢを復号化するための復号化手段を、モバイル端末が備えるｅＵＩＣＣに設ける。」
「サーバから、ＩＭＳＩ及びＫｉを含む加入プロファイルＳＵＢを受信するために、ｅＵＩＣＣ及びモバイル端末が、ＬＡＮやＷＬＡＮを介してインターネットに接続する。」
「ｅＵＩＣＣが、加入プロファイルＳＵＢのインストールに成功すると、確認メッセージを送信する。」
（ウ）引用例３に記載された事項
　同じく原査定の拒絶の理由で引用された国際公開第２０１４／１９３１８１号（以下、「引用例３」という。）には、図面とともに、以下の事項が記載されている。（下線は当審が付与。）
ａ　「　
（中略）
（後略）」（１ページ４行〜２１行）
（[当審仮訳]:
[1]本発明はプロファイルをインストールするための方法及び装置に関し、特に
端末に搭載された非着脱可能なＵｎｉｖｅｒｓａｌ　Ｉｎｔｅｇｒａｔｅｄ　Ｃｉｒｃｕｉｔ　Ｃａｒｄ（ＵＩＣＣ）に移動通信加入者情報（プロファイル）をインストール
（中略）
[5]従来のＵＩＣＣは、要求に応じて特定の移動通信事業者の専用カードとして製造される。従って、対応する事業者ネットワークに接続するための
認証情報（例えば、ＵＳＩＭアプリケーション、ＩＭＳＩ及びＫ値）は、製造段階でＵＩＣＣに格納される。
ｂ　「
」（２ページ２２行〜２４行）
（[当審仮訳]:
[11]したがって、本発明は、ネットワークを介して遠隔的に様々な移動通信事業者のＵＩＣＣの情報を、埋め込みセキュリティモジュール（従来の着脱可能なＵＩＣＣの代わりに）にインストールする方法を提供することを目的とする。）
ｃ　「
」（３ページ３０行〜３３行）
（[当審仮訳]:
[21]本発明は、移動通信端末、端末に埋め込まれたセキュリティモジュール、プロファイルプロビジョニングサーバ、プロファイル管理サーバ、及び、オプションのアドレス解決サーバを含む。
端末の埋め込みセキュリティモジュールにインストールされるプロファイルは、少なくとも１つのアプリケーション、加入者認証情報
を指す。）
ｄ　「　
」（４ページ８行〜１０行）
（[当審仮訳]:
[24]１つ又は
複数のプロファイルを１つの端末の埋め込みセキュリティモジュールにインストールすることができ、移動通信ネットワークにアクセスする際に使用するために端末はインストールされたプロファイルのうちの１つを選択する。
　上記ａ〜ｄの各摘記事項及び当該技術分野の技術常識を考慮すると、
　上記ａの段落1の記載によれば、端末に搭載された非着脱可能なＵＩＣＣに、移動通信加入者情報（プロファイル）がインストールされ、上記ｃの段落21の記載によれば、移動通信端末に埋め込まれたセキュリティモジュールに、加入者認証情報などのプロファイルがインストールされる。ここで、当該移動通信端末に埋め込まれたセキュリティモジュールがＵＩＣＣであることは明らかである。そして、上記ａの段落5の記載によれば、認証情報として、ＩＭＳＩ及びＫ値がＵＩＣＣに格納されるところ、上記ｃの段落21でインストールされる加入者認証情報などの「プロファイル」が、当該「ＩＭＳＩ及びＫ値を含む」ことは明らかである。
　また、上記ｄの段落24の記載によれば、端末の埋め込みセキュリティモジュールに、複数のプロファイルをインストールし、端末は１つのプロファイルを選択する。ここで、「インストール」された「複数のプロファイル」から「１つのプロファイルを選択」する当該端末が、上記ｃの段落21の移動通信端末であることは明らかであり、「１つのプロファイルを選択」するとの動作を「移動通信端末本体」で行っているといえる。
　以上を総合すると、引用例３には、次の公知技術が記載されていると認める。
「ＵＩＣＣにインストールされたＩＭＳＩ及びＫ値を含む複数のプロファイルから１つのプロファイルを選択する際に、移動通信端末本体で選択する。」
（エ）引用例４に記載された事項
　本願の優先日前に頒布された特開２０１２−１０２０７号公報（以下、「引用例４」という。）には、図面とともに、以下の事項が記載されている。（下線は当審が付与。）
ａ　「【００３３】
　［携帯電話機２０１の構成について］
図６は、携帯電話機２０１の内部構成を示す図である。携帯電話機２０１は、ホスト２２１、ＵＩＣＣ（Universal Integrated Circuit Card)２２２を含み
ｂ　「【００４３】
　
図７に説明を戻し、第１アプリケーション２５４にアクセスする通信路としては、通信路３０３もある。
ｃ　「【００７３】
　さらに、有線という通信路もある。すなわち図１０を参照するに、
通信路３０３(図７)
で通信が行われるとき、そのプロトコルはシリアル通信を行うプロトコルとされる。そして、送受信可能なパケットとしては、有線独自のパケットと、ＴＰＤＵ（Transport Protocol Data Unit）（ＩＳＯ ７８１６−３）規格のパケットとがある。
ｄ　図６、図７　
　上記ａ〜ｄの各摘記事項及び当該技術分野の技術常識を考慮すると、
　上記ａ、上記ｄの図６及び図７の記載から明らかなように、図７も、携帯電話機２０１の内部構成を示しており、上記ａ、ｂ及び上記ｄの図７の記載によれば、携帯電話機２０１のホスト２２１とＵＩＣＣ２２２は、通信路３０３で接続され、上記ｃの記載によれば、通信路３０３において、ＴＰＤＵ（Transport Protocol Data Unit）（ＩＳＯ７８１６−３）のプロトコルで通信が行われる。
　以上を総合すると、引用例４には、次の技術が記載されていると認められ、当該技術は標準規格であるから周知技術といえる。
「携帯電話機のホストとＵＩＣＣは、トランスポートプロトコルデータユニット（Transport Protocol Data Unit, TPDU）のプロトコルで通信する。」
ウ　対比
（ア）本願補正発明と引用発明を対比する。
（ａ）引用発明の「移動装置であるユーザ装置（ＵＥ）」は、本願補正発明の「移動端末」に相当する。
　また、引用発明の「国際移動電話加入者識別番号（ＩＭＳＩ）を用いた認証」は、移動装置のユーザの加入者識別番号を用いた認証であるから、本願補正発明の「移動ユーザのID認証」に相当する。
　また、引用発明の「前記ユーザ装置（ＵＥ）がネットワークオペレータからワイヤレスネットワークサービスを得る」ことは、本願補正発明の「移動端末がネットワークにおいて通信を行う」ことに相当する。
　そして、引用発明の「電子ユニバーサル集積回路カード（ｅＵＩＣＣ）」は、国際移動電話加入者識別番号（ＩＭＳＩ）を用いた認証を行うものであるから、本願補正発明の「認証装置」に相当する。
　したがって、引用発明の「ユーザ装置（ＵＥ）に備えられ、国際移動電話加入者識別番号（ＩＭＳＩ）を用いた認証を行うことにより前記ユーザ装置（ＵＥ）がネットワークオペレータからワイヤレスネットワークサービスを得るための電子ユニバーサル集積回路カード（ｅＵＩＣＣ）」は、本願補正発明の「移動端末に設けられ、移動ユーザのID認証を行うことにより前記移動端末がネットワークにおいて通信を行うための認証装置」に相当する。
（ｂ）引用発明の「携帯デバイス」は、ローカルキャリア更新ポータルへ更新要求を送信するとローカルキャリア更新ポータルからパッケージを配信され受信することからローカルキャリア更新ポータルとの通信を制御している装置といえ、本願補正発明の「通信制御装置」に相当する。
　また、引用発明の「電子ユニバーサル集積回路カード（ｅＵＩＣＣ）に含まれるブートストラップＯＳ」は「携帯デバイス」からパッケージを受信することから、引用発明の「電子ユニバーサル集積回路カード（ｅＵＩＣＣ）」も「ユーザ装置（ＵＥ）に備えられた携帯デバイスと通信を行って」おり、引用発明の「電子ユニバーサル集積回路カード（ｅＵＩＣＣ）」は本願補正発明と「前記移動端末に設置された通信制御装置と通信を行って」いる点で一致している。
　そして、本願補正発明の「属性設定情報」は、少なくとも国際移動体加入者識別番号（International Mobile Subscriber Identification Number，IMSI）及び鍵識別子（Key identifier，Ki）を有するところ、引用発明の「ｅＳＩＭ」も、少なくとも、各ネットワークオペレータに特有の「情報」である国際移動電話加入者識別番号（ＩＭＳＩ）及び認証キー（Ｋ）を「記憶」している。ここで、当該「認証キー（Ｋ）」は、鍵であるから鍵識別子（Key identifier, Ki)と称することは任意であるため、本願補正発明の「鍵識別子（Key identifier,　Ki）」に相当する。よって、引用発明の「ｅＳＩＭ」が「記憶」する「情報」は本願補正発明の「属性設定情報」に相当する。
　また、引用発明の「ｅＵＩＣＣに含まれるブートストラップＯＳ」は、携帯デバイスからｅＳＩＭを含むパッケージを受信しているから、「電子ユニバーサル集積回路カード（ｅＵＩＣＣ）」はｅＳＩＭを含むパッケージを受信し取得しているといえ、本願補正発明と「属性設定情報を受信する取得手段」を備える点で一致している。
　そして、引用発明の「携帯デバイス」は「ローカルキャリア更新ポータルへ更新要求を送信するとローカルキャリア更新ポータルからｅＳＩＭを含むパッケージを配信され得」ることから、引用発明の「ローカルキャリア更新ポータル」は本願補正発明の「サーバ」に相当する。
　また、引用発明の「セッションキー」は、本願補正発明の「セッション鍵」に相当し、引用発明の「携帯デバイス」は、「ローカルキャリア更新ポータルによって送信されたセッションキー及び前記セッションキーで暗号化されたｅＳＩＭを含むパッケージを受信」するものであるから、本願補正発明の「通信制御装置」と「サーバによって出されたセッション鍵及び前記セッション鍵によって暗号化された属性設定情報を取得」する点で一致している。
　よって、引用発明の「前記ユーザ装置に備えられた携帯デバイスがローカルキャリア更新ポータルによって送信されたセッションキー及び前記セッションキーで暗号化されたｅＳＩＭを含むパッケージを受信すると、前記ｅＵＩＣＣに含まれるブートストラップＯＳは、前記携帯デバイスから前記ｅＳＩＭを含むパッケージを受信し」「携帯デバイス」は「ローカルキャリア更新ポータルへ更新要求を送信するとローカルキャリア更新ポータルからｅＳＩＭを含むパッケージを配信され得」ることと、本願補正発明が「前記移動端末に設置された通信制御装置と通信を行って、前記通信制御装置が取得したサーバによって出されたセッション鍵及び前記セッション鍵によって暗号化された属性設定情報を受信する第３の取得手段」を備えることとは、「前記移動端末に設置された通信制御装置と通信を行って、属性設定情報を受信する取得手段」を備え、「通信制御装置」は「サーバによって出されたセッション鍵及び前記セッション鍵によって暗号化された属性設定情報を取得」する点で一致する。
（ｃ）上記（ｂ）で述べたとおり、引用発明の「ｅＳＩＭ」が「記憶」する「情報」は、本願補正発明の「属性設定情報」に相当し、また、引用発明の「セッションキー」は、本願補正発明の「セッション鍵」に相当する。
　そして、引用発明の「前記セッションキーで暗号化されたｅＳＩＭを含むパッケージ」が、「ｅＳＩＭを含むパッケージを取得するため」に「復号化手段」で復号化されるのは明らかであるから、引用発明の「前記セッションキーで暗号化されたｅＳＩＭを含むパッケージは、復号化アルゴリズム及び前記セッションキーに基づいて復号化され」ることと、本願補正発明が「前記属性設定情報を取得するため、復号化アルゴリズム及び前記セッション鍵に基づいて、前記セッション鍵によって暗号化された前記属性設定情報を復号化するための復号化手段」を備えることとは、「前記セッション鍵によって暗号化された前記属性設定情報」は「前記属性設定情報を取得するため、復号化アルゴリズム及び前記セッション鍵に基づいて、復号化手段で復号化」される点で一致している。
（ｄ）上記（ｂ）で述べたとおり、引用発明の「ｅＳＩＭ」が「記憶」する「情報」は、本願補正発明の「属性設定情報」に相当する。ここで、引用発明の「ｅＳＩＭ」は、各ネットワークオペレータに特有の「情報」として国際移動電話加入者識別番号（ＩＭＳＩ）及び認証キー（Ｋ）を「記憶」しているので、「ｅＳＩＭ」は、各ネットワークオペレータに対応した「キャリア属性」を有しているといえる。そして、引用発明の「ｅＵＩＣＣ」が「ｅＳＩＭを記憶」することは、「ｅＳＩＭ」に「記憶」された「情報」に基づいて、ｅＵＩＣＣに対して、各ネットワークオペレータに対応した「キャリア属性を設定」しているといえるので、「電子ユニバーサル集積回路カード（ｅＵＩＣＣ）」は、「ｅＳＩＭ」が「記憶」する「情報」に基づいて「ｅＵＩＣＣのキャリア属性を設定するための設定手段」を有しているといえる。
　よって、引用発明の「前記ｅＵＩＣＣは、ｅＳＩＭを記憶」することは、本願補正発明と「前記属性設定情報に基づいて前記認証装置のキャリア属性を設定するための設定手段」を備える点で一致する。
（ｅ）上記（ｂ）で述べたとおり、引用発明の「ｅＳＩＭ」が「記憶」する「情報」は、本願補正発明の「属性設定情報」に相当し、引用発明の「認証キー（Ｋ）」は、本願補正発明の「鍵識別子（Key identiofier, Ki)」に相当する。
　よって、引用発明の「前記ｅＳＩＭ」は、「少なくとも、各ネットワークオペレータに特有の情報である国際移動電話加入者識別番号（ＩＭＳＩ）及び認証キー（Ｋ）を記憶」するので、「ｅＳＩＭ」が「記憶」する「情報」は、「少なくとも、国際移動電話加入者識別番号（ＩＭＳＩ）及び認証キー（Ｋ）」を有するといえるから、本願補正発明の「前記属性設定情報は、少なくとも国際移動体加入者識別番号（International Mobile Subscriber Identification Number，IMSI）及び鍵識別子（Key identifier，Ki）を有」することに相当する。
（ｆ）引用発明の「携帯デバイスは、セルラーネットワーク以外のローカルエリアネットワーク上で前記ローカルキャリア更新ポータルへ更新要求を送信すると前記ローカルキャリア更新ポータルからｅＳＩＭを含むパッケージを配信され得」ることと、本願補正発明の「前記通信制御装置は、インターネットに接続することで、前記サーバとデータインタラクションを行」うこととは、「前記通信制御装置は、セルラーネットワーク以外のネットワークに接続することで、前記サーバとデータインタラクションを行」う点で一致する。
（ｇ）上記（ｄ）で述べたとおり、引用発明の「ｅＵＩＣＣ」が「ｅＳＩＭを記憶」することは、「ｅＳＩＭ」に「記憶」された「情報」に基づいて、各ネットワークオペレータに対応した「キャリア属性を設定」しているといえる。そして、引用発明の「前記ｅＵＩＣＣが複数のｅＳＩＭを記憶する場合」とは、ｅＵＩＣＣが各ネットワークオペレータに対応したキャリア属性を複数設定している場合といえるので、ｅＵＩＣＣにより設定されたキャリア属性が2つ以上である場合といえる。よって、引用発明の「前記ｅＵＩＣＣが複数のｅＳＩＭを記憶する場合」は、本願補正発明の「前記認証装置により設定された前記キャリア属性が2つ以上である場合」に相当する。
　そして、上記（ｄ）で記載したとおり、「ｅＳＩＭ」は、各ネットワークオペレータに対応した「キャリア属性」を有しているといえるから、引用発明の「前記ｅＵＩＣＣは、前記ｅＳＩＭを選択し、前記ユーザ装置（ＵＥ）に、選択された前記ｅＳＩＭの対応するネットワークに切替えて通信を行わせる」ことと、本願補正発明の「前記認証装置は、前記キャリア属性に対する前記通信制御装置の選択結果に基いて、前記移動端末に関して選択された前記キャリア属性に対応したネットワークに切替えて通信を行わせ」ることとは、「前記認証装置は、前記キャリア属性に対する選択結果に基いて、前記移動端末に関して選択された前記キャリア属性に対応したネットワークに切替えて通信を行わせ」る点で一致する。
（イ）以上のことから、本願補正発明と引用発明との一致点及び相違点は、次のとおりである。
（一致点）
「移動端末に設けられ、移動ユーザのID認証を行うことにより前記移動端末がネットワークにおいて通信を行うための認証装置であって、
　前記移動端末に設置された通信制御装置と通信を行って、属性設定情報を受信する取得手段を備え、前記通信制御装置は、サーバによって出されたセッション鍵及び前記セッション鍵によって暗号化された属性設定情報を取得するものであり、
　前記セッション鍵によって暗号化された前記属性設定情報は、前記属性設定情報を取得するため、復号化アルゴリズム及び前記セッション鍵に基づいて、復号化手段で復号化され、
　前記属性設定情報に基づいて前記認証装置のキャリア属性を設定するための設定手段を備え、
　前記属性設定情報は、少なくとも国際移動体加入者識別番号（International Mobile Subscriber Identification Number，IMSI）及び鍵識別子（Key identifier，Ki）を有し、
　前記通信制御装置は、セルラーネットワーク以外のネットワークに接続することで、前記サーバとデータインタラクションを行い、
　前記認証装置により設定された前記キャリア属性が2つ以上である場合、前記認証装置は、前記キャリア属性に対する選択結果に基いて、前記移動端末に関して選択された前記キャリア属性に対応したネットワークに切替えて通信を行わせる、認証装置。」
（相違点１）
　一致点の「前記移動端末に設置された通信制御装置と通信を行って、属性設定情報を受信する取得手段を備え、前記通信制御装置はサーバによって出されたセッション鍵及び前記セッション鍵によって暗号化された属性設定情報を取得するものであり」に関して、本願補正発明は、「認証装置」が備える「第３の取得手段」が、通信制御装置と通信を行って、「前記通信制御装置が取得したサーバによって出されたセッション鍵及び前記セッション鍵によって暗号化された属性設定情報」を受信するのに対して、引用発明には当該発明特定事項が特定されていない点。
（相違点２）
　一致点の「前記セッション鍵によって暗号化された前記属性設定情報は、前記属性設定情報を取得するため、復号化アルゴリズム及び前記セッション鍵に基づいて復号化手段で復号化され」に関して、本願補正発明は、「復号化手段」を「認証装置」が備えるのに対して、引用発明には当該発明特定事項が特定されていない点。
（相違点３）
　一致点の「前記通信制御装置は、セルラーネットワーク以外のネットワークに接続することで、前記サーバとデータインタラクションを行」うことに関し、「前記サーバとデータインタラクションを行」うために、本願補正発明では、「インターネット」に接続するのに対して、引用発明では、「セルラーネットワーク以外のローカルエリアネットワーク」に接続する点。
（相違点４）
　本願補正発明では、「前記設定手段が前記キャリア属性の設定に成功した後に通知情報を送信するための通知手段」を更に備えるのに対して、引用発明は当該発明特定事項を有していない点。
（相違点５）
　一致点の「前記認証装置により設定された前記キャリア属性が2つ以上である場合、前記認証装置は、前記キャリア属性に対する選択結果に基いて、前記移動端末に関して選択された前記キャリア属性に対応したネットワークに切替えて通信を行わせる」ことに関して、本願補正発明では、前記キャリア属性に対する「前記通信制御装置の選択結果」であるのに対して、引用発明では、ｅＵＩＣＣはｅＳＩＭを選択するが当該発明特定事項が特定されていない点。
（相違点６）
　本願補正発明では、「前記認証装置は、トランスポートプロトコルデータユニット（Transport Protocol Data Unit，TPDU）のプロトコルに合致するデータパスを介して前記通信制御装置と通信する」のに対して、引用発明には当該発明特定事項が特定されていない点。
エ　判断
　上記各相違点について判断する。
（相違点１及び相違点２について）
　引用発明は、ローカルキャリア更新ポータルによって送信された、セッションキーで暗号化されたｅＳＩＭを含むパッケージを、携帯デバイスで受信し、ｅＵＩＣＣに含まれるブートストラップＯＳでロードし且つアセンブルするものであるから、セッションキーで暗号化されたｅＳＩＭを含むパッケージを復号化するための復号化手段は、携帯デバイスもしくはｅＵＩＣＣのいずれかに設けられているといえる。
　そして、上記イ（イ）の「引用例２に記載された事項」のとおり、「サーバからモバイル端末を介して受信した、ＩＭＳＩ及びＫｉを含む暗号化された加入プロファイルＳＵＢを復号化するための復号化手段を、モバイル端末が備えるｅＵＩＣＣに設ける」ことが公知技術であるから、復号化手段をｅＵＩＣＣに設けることは当業者であれば適宜成し得た設計的事項にすぎない。よって、引用発明において、「復号化手段」を「認証装置」が備えるようにすること、それにともなって、「取得手段」が受信する情報が、「前記通信制御装置が取得したサーバによって出されたセッション鍵及びセッション鍵によって暗号化された属性設定情報」とすることは、当業者であれば適宜成し得た事項といえる。その際、認証装置の「取得手段」を、「第３の取得手段」と称することは任意である。
　
（相違点３について）
　インターネットは通常用いられるネットワークであるところ、上記イ（イ）の「引用例２に記載された事項」のとおり、「サーバから、ＩＭＳＩ及びＫｉを含む加入プロファイルＳＵＢを受信するために、ｅＵＩＣＣ及びモバイル端末が、ＬＡＮやＷＬＡＮを介してインターネットに接続する」ことが公知技術であるから、引用発明においても、携帯デバイスが、セルラーネットワーク以外のローカルエリアネットワーク上でローカルキャリア更新ポータルと通信を行う際に、「インターネット」に接続するようにすることは、当業者であれば適宜成し得た事項である。
（相違点４について）
　上記イ（イ）の「引用例２に記載された事項」のとおり、「ｅＵＩＣＣが、加入プロファイルＳＵＢのインストールに成功すると確認メッセージを送信する」ことが公知技術であるから、引用発明のｅＵＩＣＣにおいて、「設定手段がキャリア属性の設定に成功した後に通知情報を送信するための通知手段」を更に備えるようにすることは、当業者が容易に想到し得るものである。
（相違点５について）
　引用発明のｅＵＩＣＣは、複数のｅＳＩＭを記憶し選択するところ、ｅＵＩＣＣは電子ユニバーサル集積回路カードであり、主体的に選択を行うための構成を有していないことは技術常識であるから、ｅＵＩＣＣによるｅＳＩＭの選択は、ユーザ装置（ＵＥ）の本体である携帯デバイスによって選択された結果行われるものと解される。
　したがって、相違点５は実質的差異ではない。
　なお、仮に、そうでないとしても、引用発明において、上記イ（ウ）の「引用例３に記載された事項」のとおり、「ＵＩＣＣにインストールされたＩＭＳＩ及びＫ値を含む複数のプロファイルから１つのプロファイルを選択する際に、移動通信端末本体で選択する」公知技術を適用することで、キャリア属性に対する選択を、移動端末の本体である「通信制御装置の選択結果」によって行われるようにすることは、当業者が容易に想到しうるものである。
（相違点６について）
　上記イ（エ）の「引用例４に記載された事項」にあるように、「携帯電話機のホストとＵＩＣＣは、トランスポートプロトコルデータユニット（Transport Protocol Data Unit, TPDU）のプロトコルで通信する」ことは周知技術であるから、引用発明においてもTPDUのプロトコルを採用することに困難性はなく、当業者が適宜成し得た事項である。
　そして、これらの相違点を総合的に勘案しても、本願補正発明の奏する作用効果は、引用発明及び引用例２〜４に記載された技術の奏する作用効果から予測される範囲内のものにすぎず、格別顕著なものということはできない。
　したがって、本願補正発明は、引用発明及び引用例２〜４に記載された技術に基づいて、当業者が容易に発明をすることができたものであり、特許法２９条２項の規定により、特許出願の際独立して特許を受けることができないものである。
３　本件補正についてのむすび
　よって、本件補正は、特許法１７条の２第５項、同法第１７条の２第６項において準用する同法第１２６条第７項の規定に違反するものであるから、同法第１５９条第１項で読み替えて準用する同法第５３条第１項の規定により却下されるべきものである。
　よって、上記補正の却下の決定の結論のとおり決定する。
第３　本願発明について
１　本願発明
　本件補正は、上記のとおり却下されたので、本願の請求項１〜７に係る発明は、平成２９年１月１８日にされた手続補正により補正された特許請求の範囲の請求項１〜７に記載された事項により特定されるところ、その請求項４に係る発明（以下、「本願発明」という。）は、その請求項４に記載された事項により特定される、上記「第２　平成２９年５月３１日にされた手続補正についての補正の却下の決定」の［理由]「１　本件補正について」の「（２）本件補正前の特許請求の範囲の記載」の請求項４に記載のとおりのものである。
２　原査定の拒絶の理由の概要
　原査定の拒絶の理由の概要は、この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものであり、本件補正前の請求項４に対して、引用文献１、２が引用されている。
引用文献１：特開２０１２−９５３０６号公報
引用文献２：欧州特許出願公開第２７４７４６６号明細書
３　引用例に記載された事項及び引用発明
　引用例に記載された事項と引用発明は、上記「第２　平成２９年５月３１日にされた手続補正についての補正の却下の決定」の［理由]「２　補正の適否」の「（２）独立特許要件」の「イ　引用例に記載された事項及び引用発明」の「（ア）引用例１に記載された事項及び引用発明」及び「（イ）引用例２に記載された事項」のとおりである。
４　対比・判断
　本願発明は、上記「第２　平成２９年５月３１日にされた手続補正についての補正の却下の決定」の［理由］「２　補正の適否」の「（３）独立特許要件」の「ア　本願補正発明」で検討した上記本願補正発明から、「
前記認証装置により設定された前記キャリア属性が2つ以上である場合、前記認証装置は、前記キャリア属性に対する前記通信制御装置の選択結果に基いて、前記移動端末に関して選択された前記キャリア属性に対応したネットワークに切替えて通信を行わせ、
　前記認証装置は、トランスポートプロトコルデータユニット（Transport Protocol Data Unit，TPDU）のプロトコルに合致するデータパスを介して前記通信制御装置と通信する
　そうすると、両者は、上記「第２　平成２９年５月３１日にされた手続補正についての補正の却下の決定」の［理由]「２　補正の適否」の「（３）独立特許要件」の「ウ　対比」の「相違点１」、「相違点２」、「相違点３」、「相違点４」のみ相違するが、本願発明の発明特定事項を全て含み、さらに他の事項を付加したものに相当する本願補正発明が、上記「第２　平成２９年５月３１日にされた手続補正についての補正の却下の決定」の［理由]「２　補正の適否」の「（３）独立特許要件」の項で検討したとおり、引用発明及び引用例２〜４に記載された技術に基づいて当業者が容易に発明をすることができたものであるから、本願発明も同様の理由により、引用発明及び引用例２に記載された技術に基づいて、当業者が容易に発明をすることができたものである。
第４　むすび
　以上のとおり、本願発明は、特許法第２９条２項の規定により特許を受けることができないから、他の請求項に係る発明について検討するまでもなく、本願は拒絶されるべきものである。
　よって、結論のとおり審決する。